(57)【要約】【課題】回転子を回転自在に保持するベアリングメタルに充分に水を供給し、その滑りを維持することができるポンプを提供する。【解決手段】回転子１８が収納筒２０内部に回転自在に収納され、Ｕ字型の固定子２６の一対の固定子極２８，２８の間に収納筒２０が配され、収納筒２０から突出した回転子１８のシャフト１４の前端部に羽根車１６が取り付けられ、収納筒２０内部に前後一対のベアリングメタル３６，３８が配され、収納筒２０の外周壁の一部が軸方向に突出して突条の外周壁４０を構成し、回転子１８と突条の外周壁４０との間に流水空間４２を形成する。【選択図】      図１
2004332669.tif 000002
【特許請求の範囲】
【請求項１】
回転子が収納筒内部に回転自在に収納され、Ｕ字型の固定子の一対の固定子極間に前記収納筒が配され、前記収納筒から突出した前記回転子のシャフトの前端部に羽根車が設けられたポンプにおいて、
前記収納筒内部の前部と後部にベアリングメタルがそれぞれ配され、前記一対のベアリングメタルによって前記回転子のシャフトが回転自在に保持され、
前記収納筒の外周壁の一部が、軸方向に沿って突出して突条の外周壁を構成し、前記回転子と前記突条の外周壁との間に流水空間を形成する
ことを特徴とするポンプ。
【請求項２】
前記Ｕ字型の固定子における一対の固定子極の先端で、前記突条の外周壁を挟持する
ことを特徴とする請求項１記載のポンプ。
【請求項３】
前記突条の外周壁の後端部に、前記回転子の位置を検出する磁気検出素子を固定する
ことを特徴とする請求項１記載のポンプ。
【発明の詳細な説明】
【０００１】
【発明の属する技術分野】
本発明は、食器洗い機等に用いられるポンプに関するものである。
【０００２】
【従来の技術】
最近、食器洗い機の家庭への普及が著しく、食器洗い機に用いられているポンプが種々提案されている（特許文献１）。
【０００３】
本出願人も、食器洗い機に用いられるポンプ１００を提案している。そのポンプ１００の構造について、図５及び図６に基づいて説明する。
【０００４】
図５は、ポンプ１００の一部欠切側面図であり、図６は図５におけるＡ−Ｂ−Ｃ断面図である。
【０００５】
ポンプ１００は、同期モータ１０２と一体になった構造である。同期モータ１０２の回転子１０４が円筒状の収納筒１０６内部に回転自在に収納され、Ｕ字型の固定子１０８の一対の固定子極の間に収納筒１０６が配されている。この収納筒１０６から突出した回転子１０４のシャフト１１０は、羽根車１１２に連結されている。
【０００６】
収納筒１０６の内部における後部と前部には、ベアリングメタル１２０，１２２が配され、これら前後一対のベアリングメタル１２０，１２２によって回転子１０４のシャフト１１０が回転自在に保持されている。
【０００７】
同期モータ１０２の駆動回路を有した配線基板１１４は固定子１０８の後方側に配され、収納筒１０６の後端部に位置している。この配線基板１１４から突出したホールＩＣ１１６が収納筒１０６の軸方向に沿って突出したリブ１１８の後端部に固定されている。
【０００８】
【特許文献１】
特開平７−５９７０７号公報
【０００９】
【発明が解決しようとする課題】
上記で説明した従来のポンプ１００においては、羽根車１１２を支持しているシャフト１１０の外形部分の隙間から水が収納筒１０６内部に侵入して潤滑剤の役割を果たして、一対のベアリングメタル１２０，１２２の滑りを維持している。
【００１０】
ところが、この構成のポンプ１００であると、収納筒１０６と回転子１０４との隙間が狭いため、その部分に空気が溜まり、後部側のベアリングメタル１２２に充分な水が補給されず、そのためベアリングメタル１２２とシャフト１１０との間の滑りが悪くなり、ベアリングメタル１２２の異常磨耗や振動を発生させるという問題点がある。
【００１１】
そこで、本発明は上記問題点に鑑み、回転子を回転自在に保持するベアリングメタルに充分に水を供給し、その滑りを維持することができるポンプを提供するものである。
【００１２】
【課題を解決するための手段】
請求項１の発明は、回転子が収納筒内部に回転自在に収納され、Ｕ字型の固定子の一対の固定子極間に前記収納筒が配され、前記収納筒から突出した前記回転子のシャフトの前端部に羽根車が設けられたポンプにおいて、前記収納筒内部の前部と後部にベアリングメタルがそれぞれ配され、前記一対のベアリングメタルによって前記回転子のシャフトが回転自在に保持され、前記収納筒の外周壁の一部が、軸方向に沿って突出して突条の外周壁を構成し、前記回転子と前記突条の外周壁との間に流水空間を形成することを特徴とするポンプである。
【００１３】
請求項２の発明は、前記Ｕ字型の固定子における一対の固定子極の先端で、前記突条の外周壁を挟持することを特徴とする請求項１記載のポンプである。
【００１４】
請求項３の発明は、前記突条の外周壁の後端部に、前記回転子の位置を検出する磁気検出素子を固定することを特徴とする請求項１記載のポンプである。
【００１５】
【作  用】
請求項１のポンプであると、回転子と突条の外周壁の間に流水空間が形成されているため、羽根車を支持しているシャフトに沿って水が収納筒に侵入した後、この流水空間を通って収納筒内部の後部にあるベアリングメタルまで至り、ベアリングメタルの滑りを維持することができる。
【００１６】
請求項２のポンプであると、突条の外周壁を、一対の固定子極の先端で挟持しているため、Ｕ字型の固定子を収納筒に対して固定することが出来る。
【００１７】
又、突条の外周壁が収納筒のリブの代わりとなり、収納筒の強度を上げることができる。
【００１８】
請求項３のポンプであると、突条の外周壁の後端部に、磁気検出素子を簡単に固定することができる。
【００１９】
【発明の実施の形態】
以下、本発明の一実施形態のポンプ１０について、図１から図４に基づいて説明する。
【００２０】
本実施形態のポンプ１０は、食器洗い機に用いられるポンプであって、図１が、ポンプ１０の半縦断面図であり、図２が図１におけるＡ−Ｂ−Ｃ断面図であり、図３がポンプ１０の側面図であり、図４が配線基板３４を除いたポンプ１０の背面図である。
【００２１】
ポンプ１０は、同期モータ１２によってシャフト１４の前端部に取り付けられている羽根車１６を回転させて水を送り、そして、その送った水を食器に吹きつけて洗うものである。
【００２２】
（１）ポンプ１０の構成
次に、図に基づいてポンプ１０の構成について説明する。
【００２３】
同期モータ１２の回転子１８が合成樹脂性の収納筒２０内部に回転自在に収納されている。この収納筒２０の前部は、ほぼ板状の合成樹脂性の第１ケーシング２２と一体となっている。
【００２４】
第１ケーシング２２の前方には、ほぼ円筒状の合成樹脂性の第２ケーシング２４が取り付けられ、この第２ケーシングの開口した前端部には前記で説明した羽根車１６が配されている。そして、この羽根車１６は、図では不図示のポンプ室内部で回転する。また、この羽根車１６の後端部には、収納筒２０から突出した回転子１８のシャフト１４が固定されている。第１ケーシング２２の後方には、同期モータ１２のＵ字型の固定子２６が収納筒２０を挟持している（図２参照）。この固定子２６は、Ｕ字状に突出している一対の固定子極２８の基部に固定子巻線３０がそれぞれ巻回され、これら先端部の相対向する内側に設けられた円弧状の切欠き３２の間に、収納筒２０が配されている。
【００２５】
この固定子２６の後方であって、収納筒２０の後端部には、同期モータ１２の駆動回路を有する配線基板３４が取り付けられている。
【００２６】
収納筒２０の内側であって、その前端部と後端部にはそれぞれベアリングメタル３６，３８が配され、これら前後一対のベアリングメタル３６，３８によって回転子１８のシャフト１４が回転自在に保持されている。
【００２７】
収納筒２０の外周壁の一部であって、前記一対の固定子極２８，２８の間に配されている部分が軸方向に沿って突出し、突条の外周壁（以下、単に突壁という）４０が突出している。この突壁４０と、回転子１８との間には一定の空間である流水空間４２が形成されている。
【００２８】
突壁４０の後壁には凹部４４が設けられ、この凹部４４に、配線基板３４に取り付けられているホールＩＣ４６が嵌め込まれている。このホールＩＣ４６は、回転子１８の位置を検出するためのものである。
【００２９】
（２）ポンプ１０の作用
次に、ポンプ１０の作用について説明する。
【００３０】
同期モータ１２の固定子２６の一対の固定子極２８に交流電圧を掛けると、一対の永久磁石よりなる回転子１８が回転し、羽根車１６が回転する。
【００３１】
この場合に、羽根車１６を支持しているシャフト１４と、第１ケーシング２２の隙間及び第２ケーシング２４の隙間から、水が侵入して、収納筒２０に至る。収納筒２０内部に侵入した水は、前端部にあるベアリングメタル３６に到達するとともに、流水空間４２を経て後方側のベアリングメタル３８にも至る。
【００３２】
このため、前方側のベアリングメタル３６だけでなく、後方側のベアリングメタル３８にも水が補給されるため、ベアリングメタル３８とシャフト１４との滑りを充分に維持することが出来る。そのため、ベアリングメタル３８及びベアリングメタル３６の異常磨耗や振動が発生したりすることがない。
【００３３】
また、突壁４０は、収納筒２０のリブの役割も果たしているため、収納筒２０を強度的に補強することができる。
【００３４】
ホールＩＣ４６を凹部４４に取り付けるだけで、ホールＩＣ４６を回転子１８の近傍に簡単に取り付けることが出来る。
【００３５】
図２に示すように、一対の固定子極２８，２８で収納筒２０と突壁４０とを挟持する構造であるため、突壁４０が固定子２６の回り止めの役割を果たすこともできる。
【００３６】
【発明の効果】
以上により本発明のポンプであると、流水空間を通って後方側のベアリングメタルにも水が補給されるため、ベアリングメタルとシャフトとの滑りを維持することができ、ベアリングメタルが異常磨耗を起こしたり振動を発生させたりすることがない。
【００３７】
請求項２のポンプであると、一対の固定子極の先端で突条の外周壁を挟持する構造であるため、突条の外周壁が固定子の回り止めの役割を果たすことが出来る。
【００３８】
請求項３のポンプであると、回転子の近傍に磁気検出素子を容易に固定することが出来る。
【図面の簡単な説明】
【図１】本発明の一実施形態を示すポンプの半縦断面図である。
【図２】図１におけるＡ−Ｂ−Ｃ断面図である。
【図３】本実施形態のポンプの側面図である。
【図４】本実施形態の配線基板を除いたポンプの背面図である。
【図５】従来のポンプの一部欠切側面図である。
【図６】図５におけるＡ−Ｂ−Ｃ断面図である。
【符号の説明】
１０  ポンプ
１２  同期モータ
１４  シャフト
１６  羽根車
１８  回転子
２０  収納筒
２６  固定子
２８  固定子極
３０  固定子巻線
３２  切欠
３４  配線基板
３６  ベアリングメタル
３８  ベアリングメタル
４０  突条の外周壁（突壁）
４２  流水空間
４４  凹部
４６  ホールＩＣ
【図１】
2004332669.tif 000003
【図２】
2004332669.tif 000004
【図３】
2004332669.tif 000005
【図４】
2004332669.tif 000006
【図５】
2004332669.tif 000007
【図６】
2004332669.tif 000008